(57)【要約】【課題】高度な付加サービスを提供できると共に、網提供事業者以外の者でもサービスを提供できる付加サービス提供システムおよび付加サービス提供方法を提供する。【解決手段】ネットワーク外にサービスを管理するアプリケーションサーバ１１とメディアを送出するメディアサーバ１２を備える。アプリケーションサーバ１１は、ネットワークに接続された発側端末２２からサービスの要求があると、サービスの関連付けＩＤをメディアサーバ１２に送信し、メディアサーバ１２は、発側端末２２とメディアサーバ１２との間にセッションが確立されると、関連付けＩＤと対応付けられたメディアを発側端末２２に送信する。【選択図】図１
2010199786.tif 000002
【特許請求の範囲】
【請求項１】
ＩＰネットワークにおける付加サービス提供システムにおいて、
網提供事業者のネットワーク外にサービスを管理するアプリケーションサーバとメディアを送出するメディアサーバを備え、
前記アプリケーションサーバは、ネットワークに接続された端末からサービスの要求があると、サービスの関連付けＩＤを前記メディアサーバに送信し、前記メディアサーバは、前記端末と前記メディアサーバとの間にセッションが確立する際に、前記関連付けＩＤと対応付けられたメディアを前記端末に送信することを特徴とする付加サービス提供システム。
【請求項２】
ＩＰネットワークにおける付加サービス提供システムにおいて、
網提供事業者のネットワーク外に発側端末のサービスを管理する発側アプリケーションサーバと着側端末のサービスを管理する着側アプリケーションサーバを備え、
前記着側アプリケーションサーバは、着側端末で起動予定のサービスの関連付けＩＤを前記発側アプリケーションサーバに通知して、発側アプリケーションサーバにサービスの競合判定を求め、判定の結果、競合しない場合には、着側端末で起動予定のサービスを起動し、前記発側のアプリケーションサーバは、既に発側端末で起動したサービスの関連付けＩＤと前記着側アプリケーションサーバから通知された関連付けＩＤとを照合して、サービスの競合判定を行うことを特徴とする付加サービス提供システム。
【請求項３】
ＩＰネットワークにおける付加サービス提供システムにおいて、
網提供事業者のネットワーク外にサービスを管理するアプリケーションサーバとメディアを送出／受信するメディアサーバを備え、
前記アプリケーションサーバは、ネットワークに接続された端末から前記アプリケーションサーバに映像のアップロード要求が行われると関連付けＩＤを付与するとともに映像供給端末と前記メディアサーバ間にセッションを確立し、映像をアップロード、第１の端末から視聴要求が行われると、前記端末と前記メディアサーバ間にセッションを確立し、前記端末において、前記関連付けＩＤに対応付けられた映像を視聴、前記端末において実況音声もしくはテキストが作成され、前記端末から前記アプリケーションサーバに、実況音声もしくはテキストの追加要求が行われると、前記端末と前記メディアサーバ間にセッションを確立し、
前記メディアサーバは、前記セッションが確立されると、前記端末に、関連付けＩＤに対応付けられた映像を配信し、前記端末から前記メディアサーバに実況音声がアップロードされると、前記関連付けＩＤに対応付けられている映像に実況音声もしくはテキストを追加し、第２の端末からの要求に従い実況付きの映像を配信することを特徴とする付加サービス提供システム。
【請求項４】
前記関連付けＩＤは、網識別ＩＤ、サーバ識別ＩＤ、サービス種別、ユーザ識別ＩＤ、サービス提供時刻の一部もしくは全ての組み合わせから導出されることを特徴とする請求項１乃至３のいずれか１項に記載の付加サービス提供システム。
【請求項５】
網提供事業者のネットワーク外にサービスを管理するアプリケーションサーバとメディアを送出するメディアサーバを備えるＩＰネットワークシステムにおける付加サービス提供方法において、
前記アプリケーションサーバが、ネットワークに接続された端末からサービスの要求があると、サービスの関連付けＩＤを、前記メディアサーバに送信するステップと、
前記メディアサーバが、前記端末と前記メディアサーバとの間にセッションが確立されると、前記関連付けＩＤと対応付けられたメディアを前記端末に送信するステップと、
を含むことを特徴とする付加サービス提供方法。
【請求項６】
網提供事業者のネットワーク外に発側端末のサービスを管理する発側アプリケーションサーバと着側端末のサービスを管理する着側アプリケーションサーバを備えるＩＰネットワークシステムにおける付加サービス提供方法において、
前記着側アプリケーションサーバが、着側端末で起動予定のサービスの関連付けＩＤを前記発側アプリケーションサーバに通知するステップと、
前記発側のアプリケーションサーバが、既に発側端末で起動したサービスの関連付けＩＤと前記着側アプリケーションサーバから通知された関連づけＩＤとを照合して、サービスの競合判定を行うステップと、
前記着側アプリケーションサーバが、判定の結果、競合しない場合には、着側端末で起動予定のサービスを起動するステップと、
を含むことを特徴とする付加サービス提供方法。
【請求項７】
網提供事業者のネットワーク外にサービスを管理するアプリケーションサーバとメディアを送出／受信するメディアサーバを備える、ＩＰネットワークシステムにおける付加サービス提供方法において、
ネットワークに接続された映像供給端末から前記アプリケーションサーバに、映像のアップロード要求が行われると、前記アプリケーションサーバが、関連付けＩＤを付与するとともに前記映像供給端末と前記メディアサーバ間にセッションを確立するステップと、
前記映像供給端末と前記メディアサーバ間にセッションが確立されると、前記映像供給端末が、前記メディアサーバに映像をアップロードするステップと、
第１の端末から視聴要求が行われると、前記アプリケーションサーバが、前記第１の端末と前記メディアサーバ間にセッションを確立するステップと、
前記第１の端末と前記メディアサーバ間にセッションが確立されると、前記メディアサーバが、前記第１の端末に、関連づけＩＤに対応付けられた映像を配信するステップと、
前記第１の端末において、前記関連付けＩＤに対応付けられた映像を視聴し、前記端末において実況音声もしくはテキストが作成され、前記第１の端末から前記アプリケーションサーバに、実況音声もしくはテキストの追加要求が行われると、前記アプリケーションサーバが、前記第１の端末と前記メディアサーバ間にセッションを確立するステップと、
前記第１の端末と前記メディアサーバ間にセッションが確立されると、前記第１の端末が、前記メディアサーバに実況音声もしくはテキストをアップロードするステップと、
前記第１の端末から前記メディアサーバに実況音声がアップロードされると、前記メディアサーバが、前記関連付けＩＤに対応付けられている映像に実況音声もしくはテキストを追加するステップと、
第２の端末から前記アプリケーションサーバに、実況付きの映像の配信要求が行われると、前記アプリケーションサーバが、前記第２の端末と前記メディアサーバ間にセッションを確立するステップと、
前記第２の端末と前記メディアサーバ間にセッションが確立されると、前記メディアサーバが、前記第２の端末に、実況付きの映像を配信するステップと、
を含むことを特徴とする付加サービス提供方法。
【請求項８】
前記関連付けＩＤは、網識別ＩＤ、サーバ識別ＩＤ、サービス種別、ユーザ識別ＩＤ、サービス提供時刻の一部もしくは全ての組み合わせから導出されることを特徴とする請求項５乃至７のいずれか１項に記載の付加サービス提供方法。
【発明の詳細な説明】
【技術分野】
【０００１】
本発明は、高度な付加サービスを実現できる付加サービス提供システムおよび付加サービス提供方法に関する。
【背景技術】
【０００２】
ＩＰ（Internet Protocol）網において呼制御プロトコルを用いて音声通信を確立し、音声データをＩＰパケットとして送受信することにより音声通信を可能としたＩＰ電話サービスが提供されている。ＩＰ電話サービスでは、多種多様な事業者と連携してさまざまな高機能付加サービスを実現することが求められるが、ＩＰ電話における従来の高機能付加サービスの実現方法としては、制御信号のみを網の外側と通信してサービスを提供する方法（非特許文献１参照）、および同一網内においてサービスを提供する方法（特許文献１、特許文献２）がある。
【先行技術文献】
【特許文献】
【０００３】
【特許文献１】特開２００８−１１３３９９号公報
【特許文献２】特開２００７−７２６６４号公報
【非特許文献】
【０００４】
【非特許文献１】ITU-T Y.2012, SERIES Y:GLOBAL INFORMATION INFRASTRUCTURE, INTERNET PROTOCOL ASPECTS AND NEXT-GENERATION NETWORKS, Next Generation Networks-Frameworks and functional architecture models
【発明の概要】
【発明が解決しようとする課題】
【０００５】
しかしながら、付加サービスを実現するにあたっては、ＩＴＵ−Ｔ Ｙ．２０１２では、外部に参照可能なインターフェイスとしてＡＮＩ（Application Network Interface）が規定されているが、メディアの網外からの送出を実現するインターフェイスの規定は行われていない。したがって、制御信号のみを網の外側と通信してサービスを提供する方法では、サービスを提供する前にガイダンス等のメディアを送出する手段が無く、サービスのグレードの低下を招くという問題があった。また、同一網内においてサービスを提供する方法では、セキュリティ上、他のサービス提供事業者が網の機能を利用したサービスの提供が困難である。既存の電話網でも同様に制御信号を外部に参照可能なインターフェイスとして共通線信号網におけるＩＮＡＰ（Intelligent Networks Application Protocol）が規定されているが、図５に示すように、メディア（ガイダンス）は、加入者線交換機（ＧＣ交換機）からの送出を想定している。
【０００６】
本発明は、このような問題点に鑑みてなされたものであり、本発明の目的は、高度な付加サービスを提供できると共に、網提供事業者以外の者でもサービスを提供できる付加サービス提供システムおよび付加サービス提供方法を提供することにある。
【課題を解決するための手段】
【０００７】
上記目的を達成するため、本発明は、ＩＰネットワークにおける付加サービス提供システムにおいて、網提供事業者のネットワーク外にサービスを管理するアプリケーションサーバとメディアを送出するメディアサーバを備え、前記アプリケーションサーバは、ネットワークに接続された端末からサービスの要求があると、サービスの関連付けＩＤを前記メディアサーバに送信し、前記メディアサーバは、前記端末と前記メディアサーバとの間にセッションが確立する際に、前記関連付けＩＤと対応付けられたメディアを前記端末に送信することを特徴とする。
【０００８】
また、本発明は、ＩＰネットワークにおける付加サービス提供システムにおいて、網提供事業者のネットワーク外に発側端末のサービスを管理する発側アプリケーションサーバと着側端末のサービスを管理する着側アプリケーションサーバを備え、前記着側アプリケーションサーバは、着側端末で起動予定のサービスの関連付けＩＤを前記発側アプリケーションサーバに通知して、発側アプリケーションサーバにサービスの競合判定を求め、判定の結果、競合しない場合には、着側端末で起動予定のサービスを起動し、前記発側のアプリケーションサーバは、既に発側端末で起動したサービスの関連付けＩＤと前記着側アプリケーションサーバから通知された関連付けＩＤとを照合して、サービスの競合判定を行うことを特徴とする。
【０００９】
また、本発明は、ＩＰネットワークにおける付加サービス提供システムにおいて、網提供事業者のネットワーク外にサービスを管理するアプリケーションサーバとメディアを送出／受信するメディアサーバを備え、前記アプリケーションサーバは、ネットワークに接続された端末から前記アプリケーションサーバに映像のアップロード要求が行われると関連付けＩＤを付与するとともに映像供給端末と前記メディアサーバ間にセッションを確立し、映像をアップロード、第１の端末から視聴要求が行われると、前記端末と前記メディアサーバ間にセッションを確立し、前記端末において、前記関連付けＩＤに対応付けられた映像を視聴、前記端末において実況音声もしくはテキストが作成され、前記端末から前記アプリケーションサーバに、実況音声もしくはテキストの追加要求が行われると、前記端末と前記メディアサーバ間にセッションを確立し、前記メディアサーバは、前記セッションが確立されると、前記端末に、関連付けＩＤに対応付けられた映像を配信し、前記端末から前記メディアサーバに実況音声がアップロードされると、前記関連付けＩＤに対応付けられている映像に実況音声もしくはテキストを追加し、第２の端末からの要求に従い実況付きの映像を配信することを特徴とする。
【００１０】
上述した付加サービス提供システムにおいて、前記関連付けＩＤは、網識別ＩＤ、サーバ識別ＩＤ、サービス種別、ユーザ識別ＩＤ、サービス提供時刻の一部もしくは全ての組み合わせから導出されることが好ましい。
【００１１】
また、本発明は、網提供事業者のネットワーク外にサービスを管理するアプリケーションサーバとメディアを送出するメディアサーバを備えるＩＰネットワークシステムにおける付加サービス提供方法において、前記アプリケーションサーバが、ネットワークに接続された端末からサービスの要求があると、サービスの関連付けＩＤを、前記メディアサーバに送信するステップと、前記メディアサーバが、前記端末と前記メディアサーバとの間にセッションが確立されると、前記関連付けＩＤと対応付けられたメディアを前記端末に送信するステップとを含むことを特徴とする。
【００１２】
また、本発明は、網提供事業者のネットワーク外に発側端末のサービスを管理する発側アプリケーションサーバと着側端末のサービスを管理する着側アプリケーションサーバを備えるＩＰネットワークシステムにおける付加サービス提供方法において、前記着側アプリケーションサーバが、着側端末で起動予定のサービスの関連付けＩＤを前記発側アプリケーションサーバに通知するステップと、前記発側のアプリケーションサーバが、既に発側端末で起動したサービスの関連付けＩＤと前記着側アプリケーションサーバから通知された関連づけＩＤとを照合して、サービスの競合判定を行うステップと、前記着側アプリケーションサーバが、判定の結果、競合しない場合には、着側端末で起動予定のサービスを起動するステップとを含むことを特徴とする。
【００１３】
また、本発明は、網提供事業者のネットワーク外にサービスを管理するアプリケーションサーバとメディアを送出／受信するメディアサーバを備える、ＩＰネットワークにおける付加サービス提供方法において、ネットワークに接続された映像供給端末から前記アプリケーションサーバに、映像のアップロード要求が行われると、前記アプリケーションサーバが、関連付けＩＤを付与するとともに前記映像供給端末と前記メディアサーバ間にセッションを確立するステップと、前記映像供給端末と前記メディアサーバ間にセッションが確立されると、前記映像供給端末が、前記メディアサーバに映像をアップロードするステップと、第１の端末から視聴要求が行われると、前記アプリケーションサーバが、前記第１の端末と前記メディアサーバ間にセッションを確立するステップと、前記第１の端末と前記メディアサーバ間にセッションが確立されると、前記メディアサーバが、前記第１の端末に、関連づけＩＤに対応付けられた映像を配信するステップと、前記第１の端末において、前記関連付けＩＤに対応付けられた映像を視聴し、前記端末において実況音声もしくはテキストが作成され、前記第１の端末から前記アプリケーションサーバに、実況音声もしくはテキストの追加要求が行われると、前記アプリケーションサーバが、前記第１の端末と前記メディアサーバ間にセッションを確立するステップと、前記第１の端末と前記メディアサーバ間にセッションが確立されると、前記第１の端末が、前記メディアサーバに実況音声もしくはテキストをアップロードするステップと、前記第１の端末から前記メディアサーバに実況音声がアップロードされると、前記メディアサーバが、前記関連付けＩＤに対応付けられている映像に実況音声もしくはテキストを追加するステップと、第２の端末から前記アプリケーションサーバに、実況付きの映像の配信要求が行われると、前記アプリケーションサーバが、前記第２の端末と前記メディアサーバ間にセッションを確立するステップと、前記第２の端末と前記メディアサーバ間にセッションが確立されると、前記メディアサーバが、前記第２の端末に、実況付きの映像を配信するステップと、を含むことを特徴とする。
【００１４】
上述した付加サービス提供方法において、前記関連付けＩＤは、網識別ＩＤ、サーバ識別ＩＤ、サービス種別、ユーザ識別ＩＤ、サービス提供時刻の一部もしくは全ての組み合わせから導出されることが好ましい。
【発明の効果】
【００１５】
本発明は、網外に設置されたサーバのメディアリソースを利用したサービス提供において、サービスと関連付けられたＩＤ（識別子）を網内、網間で流通、管理を行うことにより、高度な付加サービスを提供することが可能となると共に、網提供事業者以外の者でもサービスを提供することが可能となる。
また、制御信号は網内側からのみ制御され、要求された制御信号以外の信号やＩＰパケットが網外からきてもエッジルータ（ＥＲ）側で破棄されるためセキュリティを保持することが可能となる。
また、本発明は、音声サービスに限定されず、映像配信サービスにおいても同様にセキュリティを保持しつつ、高度なサービスを提供することが可能となる。
【図面の簡単な説明】
【００１６】
【図１】本発明の第１の実施形態に係る付加サービス提供方法が適用されるシステムのブロック図である。
【図２】本発明の第２の実施形態に係る付加サービス提供方法が適用されるシステムのブロック図である。
【図３】本発明の第３の実施形態に係る付加サービス提供方法が適用されるシステムのブロック図である。
【図４】本発明の第４の実施形態に係る付加サービス提供方法が適用されるシステムのブロック図である。
【図５】従来システムを説明する図である。
【発明を実施するための形態】
【００１７】
本発明の実施の形態について図面を参照して説明する。
（第１の実施形態）
図１は、本発明の第１の実施形態に係る付加サービス提供方法が適用されるシステムのブロック図である。図１に示すシステムは、個別のサービスを提供する高度サービスサーバ群１０と、制御信号のみを扱う信号振り分けＧＷ（Gateway）機能部１３と、メディアとセッションを制御するＧＷ機能部１４と、発側加入者ＳＩＰサーバ１５と、着側加入者ＳＩＰサーバ１６と、エッジルータ（ＥＲ）１９、２０、２１と、発側端末２２と、着側端末２３とにより構成される。高度サービスサーバ群１０は、サービスを管理するアプリケーションサーバ１１と、メディア（ガイダンス）を送出するメディアサーバ１２とにより構成される。
高度サービスサーバ群１０は網提供事業者のネットワーク外にあり、発側加入者ＳＩＰサーバ１１と、着側加入者ＳＩＰサーバ１２と、信号振り分けＧＷ機能部１３と、ＧＷ機能部１４と、エッジルータ（ＥＲ）１９、２０、２１は、ＩＰ網を形成している。
【００１８】
第１の実施形態は、事業者Ａの端末が発呼する場合であって、サービスを提供する前にガイダンスが必要な場合における具体的な制御方法を示すものである。
まず、発側端末２２が発呼を行うと、発側端末２２からの発呼を発側加入者ＳＩＰサーバ１５が検出する。発側加入者ＳＩＰサーバ１５は、検出した信号より電話番号、発信者の契約条件を確認し、該当していれば信号振り分けＧＷ機能部１３に信号を送信する。次に、信号振り分けＧＷ機能部１３は、発側加入者ＳＩＰサーバ１５から信号を受信すると、サービスと関連付けられたＩＤ（識別子）を作成すると共に、外部と接続可能な信号に変換し、この信号を外部にある高度サービスサーバ群１０のアプリケーションサーバ１１に送信する。アプリケーションサーバ１１は、信号振り分けＧＷ機能部１３から信号を受信すると、呼を接続する前に発側端末２２にガイダンスが必要かどうか自身のサービス提供条件と照合する。照合の結果、ガイダンスが必要な際には、サービスと関連付けられたＩＤを付与した信号をメディアサーバ１２に送信する。
【００１９】
ここで、サービスと関連付けられたＩＤ（以下の実施形態において、関連付けＩＤという）は、網識別ＩＤ、サーバ識別ＩＤ、サービス種別（どのようなガイダンスを流すかの識別子）、発側／着側のユーザ識別ＩＤ（例えば電話番号）、サービス提供時刻の一部もしくは全ての組み合わせから導出され、網内で一意に決定される。
【００２０】
同様に、アプリケーションサーバ１１は、関連付けＩＤを付与した信号を信号振り分けＧＷ機能部１３経由で発側加入者ＳＩＰサーバ１５に送信する。発側加入者ＳＩＰサーバ１５は、メディアを透過させる機能を有する制御信号（例えばＳＩＰ）に関連付けＩＤを含めて、制御信号をもう一方のＧＷ機能部１４に送信する。制御信号は、網内側からのみ制御され、要求された制御信号以外の信号やＩＰパケットが網外からきてもエッジルータ（ＥＲ）側で破棄されるためセキュリティが保たれる。メディアサーバ１２は、ＧＷ機能部１４から受信した制御信号から関連付けＩＤを抽出し、すでにアプリケーションサーバ１１から送信されている関連付けＩＤと照合し、一致したならば、事業者Ｃ網の発側端末２２とメディアサーバ１２との間にセッションが確立された後に、関連付けＩＤと対応付けられたガイダンスを発側端末２２に送信する。
【００２１】
並行して発側加入者ＳＩＰサーバ１５は、着信番号に従い、着側加入者ＳＩＰサーバ１６に接続する。着側加入者ＳＩＰサーバ１６は、該当の着側端末２３に接続を行い、該当の着側端末２３が応答したことを検知すると、発側加入者ＳＩＰサーバ１５に通知を行う。発側加入者ＳＩＰサーバ１５は、通知を元に発側端末２２と着側端末２３とで通話が可能なようにメディアサーバ１２へのガイダンスの終了の通知、および発側端末２２と着側端末２３との間の通話パスの設定を行い、通話を可能とする。
【００２２】
（第２の実施形態）
図２は、本発明の第２の実施形態に係る付加サービス提供方法が適用されるシステムのブロック図である。図２に示すシステムは、個別のサービスを提供する高度サービスサーバ群１０と、制御信号のみを扱う信号振り分けＧＷ機能部１３と、メディアとセッションを制御するＧＷ機能部１４と、着側加入者ＳＩＰサーバ１６と、事業者間をＳＩＰ（Session Initiation Protocol）もしくはＩＳＵＰ（ISDN User Part）で接続するＳＩＰ−ＧＷ２０１７と、ＳＩＰ信号を中継する中継サーバ１８と、エッジルータ（ＥＲ）２０、２１と、着側端末２３とにより構成される。高度サービスサーバ群１０は、サービスを管理するアプリケーションサーバ１１とメディアを送出するメディアサーバ１２とにより構成される。
高度サービスサーバ群１０はＩＰ網の外にあり、信号振り分けＧＷ機能部１３と、ＧＷ機能部１４と、着側加入者ＳＩＰサーバ１６と、ＳＩＰ−ＧＷ１７と、中継サーバ１８と、エッジルータ（ＥＲ）２０、２１は、ＩＰ網を形成している。
【００２３】
第２の実施形態は、事業者Ｃの端末が発呼する場合であって、サービスを提供する前にガイダンスが必要な場合における具体的な制御方法を示すものである。
まず、事業者Ｃ網の端末（図示せず）が発呼を行う。網間の接続に際しては、網識別ＩＤを事業者同士で事前に交渉し、お互い事前に取り交わした網識別ＩＤを呼毎に付与し、事業者間インターフェイスを通して流通させるか、または、どの事業者からの信号かＳＩＰ−ＧＷ１７で判別可能な場合は、ＳＩＰ−ＧＷ１７で網識別ＩＤを呼毎に付与し、中継サーバ１８を通して着側加入者ＳＩＰサーバ１６まで流通させる。
【００２４】
着側加入者ＳＩＰサーバ１６は、網識別ＩＤや着側端末２３の電話番号を元にサービスの提供判定を行い、サービスを提供しているのであれば信号振り分けＧＷ機能部１３に接続要求を発信する。信号振り分けＧＷ機能部１３は、接続要求の信号を受信すると、外部と接続可能な信号に変換し、この信号を外部にある高度サービスサーバ群１０のアプリケーションサーバ１１に送信する。アプリケーションサーバ１１は、信号振り分けＧＷ機能部１３から信号を受信すると、呼を接続する前に事業者Ｃ網の発側端末にガイダンスが必要かどうか自身のサービス提供条件と照合する。照合の結果、ガイダンスが必要な際には関連付けＩＤを付与した信号をメディアサーバ１２に送信する。
【００２５】
同様に、アプリケーションサーバ１１は、関連付けＩＤを付与した信号を信号振り分けＧＷ機能部１３経由で着側加入者ＳＩＰサーバ１６に送信する。着側加入者ＳＩＰサーバ１６は、メディアを透過させる機能を有する制御信号（例えばＳＩＰ）に関連付けＩＤを含めて、制御信号をもう一方のＧＷ機能部１４に送信する。制御信号は、網内側からのみ制御され、要求された制御信号以外の信号やＩＰパケットが網外からきてもエッジルータ（ＥＲ）側で破棄されるためセキュリティが保たれる。メディアサーバ１２は、ＧＷ機能部１４から受信した制御信号から関連付けＩＤを抽出し、すでにアプリケーションサーバ１１から送信されてきた関連付けＩＤと照合し、一致したならば、事業者Ｃ網の発側端末とメディアサーバ１２との間にセッションが確立された後に、関連付けＩＤと対応付けられたガイダンスをＳＩＰ−ＧＷ１７経由で事業者Ｃ網の発側端末に送信する。
【００２６】
並行して着側加入者ＳＩＰサーバ１６は、着信番号に従い、該当の着側端末２３に接続を行い、該当の着側端末２３が応答したことを検知すると、事業者Ｃに通知を行う。事業者Ｃは、通知を元に事業者Ｃ網の発側端末と着側端末２３とで通話が可能なようにメディアサーバ１２へのガイダンスの終了の通知、および事業者Ｃ網の発側端末と着側端末２３との間の通話パスの設定を行い、通話を可能とする。
【００２７】
（第３の実施形態）
図３は、本発明の第３の実施形態に係る付加サービス提供方法が適用されるシステムのブロック図である。図３に示すシステムは、発側高度サービスサーバ（アプリケーションサーバ）２５と、着側高度サービスサーバ（アプリケーションサーバ）２６と、制御信号のみを扱う信号振り分けＧＷ機能部２７、２８と、発側加入者ＳＩＰサーバ２９と、着側加入者ＳＩＰサーバ３０と、発側端末３１と、着側端末３２とにより構成される。
発側高度サービスサーバ（アプリケーションサーバ）２５は、網提供事業者の網２４の外にあって、発側端末３１のサービスを管理し、着側高度サービスサーバ（アプリケーションサーバ）２６は、網提供事業者の網２４の外にあって、着側端末３２のサービスを管理する。
また、信号振り分けＧＷ機能部２７，２８と、発側加入者ＳＩＰサーバ２９と、着側加入者ＳＩＰサーバ３０は、網提供事業者の網２４を形成している。
なお、図において、説明を分かり易くするため、メディアサーバ、メディアとセッションを制御するＧＷ機能部、エッジルータ（ＥＲ）は省略する。また、関連付けＩＤは、網内、網間で流通しているものとする。
【００２８】
第３の実施形態は、発側サービスと着側サービスが競合する場合の具体的な制御方法を示すものである。将来のサービス提供において、発側サービスと着側サービスの競合制御が必要となる場合、着側の高度サービスサーバが発側の高度サービスサーバに競合判定を求める時に関連付けＩＤを利用する。
主な処理としては、着側高度サービスサーバ２６が、着側端末３２で起動予定のサービスの関連付けＩＤを発側高度サービスサーバ２５に通知して、発側高度サービスサーバ２５にサービスの競合判定を求めると、発側高度サービスサーバ２５が、既に発側端末３１で起動したサービスの関連付けＩＤと着側高度サービスサーバ２６から通知された関連づけＩＤとを照合して、サービスの競合判定を行う。
判定の結果、競合しない場合には、着側高度サービスサーバ２６は、着側端末３２で起動予定のサービスを起動してサービスを提供する。競合する場合には、サービスの起動を中止する。
【００２９】
（第４の実施形態）
図４は、本発明の第４の実施形態に係る付加サービス提供方法が適用されるシステムのブロック図である。図４に示すシステムは、映像を管理するアプリケーションサーバ３５と、映像を配信するメディアサーバ（配信サーバ）３６と、制御信号のみを扱う信号振り分けＧＷ機能部３７と、発側加入者ＳＩＰサーバ３９と、着側加入者ＳＩＰサーバ４０と、ユーザＹの端末４１と、ユーザＡの端末４２と、ユーザＪの端末（図示せず）とにより構成される。
アプリケーションサーバ３５とメディアサーバ（配信サーバ）３６は、網提供事業者の網３４の外にあり、信号振り分けＧＷ機能部３７と、発側加入者ＳＩＰサーバ３９と、着側加入者ＳＩＰサーバ４０は、網提供事業者の網３４を形成している。
なお、図において、説明を分かり易くするため、メディアとセッションを制御するＧＷ機能部、エッジルータ（ＥＲ）は省略する。また、関連付けＩＤは、網内、網間で流通しているものとする。
【００３０】
第４の実施形態は、映像配信サービスを提供する際の具体的な制御方法を示すものである。あるユーザの端末が発信する映像に、他社の端末において付加情報をリアルタイムに追加するサービスにおいて、ユーザＹが供給する映像にユーザＡが実況を加え、ユーザＪが実況付き映像を楽しむ場合を例にして以下に示す。
ユーザＹの端末４１からアプリケーションサーバ３５に映像等のアップロードが要求されると、アプリケーションサーバ３５は、端末４１とメディアサーバ３６間にセッションを確立する。セッションが確立されると、ユーザＹの端末４１からメディアサーバ３６に動画がアップロードされる。
ユーザＡの端末４２からアプリケーションサーバ３５に映像の視聴要求が行われると、アプリケーションサーバ３５は、端末４２とメディアサーバ３６間にセッションを確立する。セッションが確立されると、メディアサーバ３６は、ユーザＡの端末４２に、関連付けＩＤに対応付けられた映像を配信する。
端末４２において、ユーザＡにより、関連付けＩＤに対応付けられた映像の実況音声もしくはテキストが作成され、端末４２からアプリケーションサーバ３５に、実況音声の追加要求がなされると、アプリケーションサーバ３５は、端末４２とメディアサーバ３６間にセッションを確立する。セッションが確立されると、ユーザＡの端末４２からメディアサーバ３６に実況音声もしくはテキストがアップロードされる。
メディアサーバ３６は、実況音声がアップロードされると、関連付けＩＤに対応付けられた映像に実況音声を追加する。以後、ユーザＪは、実況付き映像を視聴できるようになる。この時のユーザＪは網提供事業者の網を経由するか非経由で直接配信サーバと通信するかは問わない。
【００３１】
上述したように、本発明は、網外に設置されたサーバのメディアリソースを利用したサービス提供において、関連付けＩＤを網内、網間で流通、管理を行うことにより、高度な付加サービスを提供することが可能となると共に、網提供事業者以外の者でもサービスを提供することが可能となる。
また、制御信号は網内側からのみ制御され、要求された制御信号以外の信号やＩＰパケットが網外からきてもエッジルータ（ＥＲ）側で破棄されるためセキュリティを保持することが可能となる。
また、本発明は、音声サービスに限定されず、映像配信サービスにおいても同様にセキュリティを保持しつつ、高度なサービスを提供することが可能となる。
【符号の説明】
【００３２】
１０  高度サービスサーバ群
１１，３５  アプリケーションサーバ
１２，３６  メディアサーバ
１３，２７，２８，３７  信号振り分けＧＷ機能部
１４  ＧＷ機能部
１５，２９，３９  発側加入者ＳＩＰサーバ
１６，３０，４０  着側加入者ＳＩＰサーバ
１７  ＳＩＰ−ＧＷ
１８  中継サーバ
１９，２０，２１  エッジルータ
２２，３１  発側端末
２３，３２  着側端末
２４  網提供事業者の網
２５  発側高度サービスサーバ
２６  着側高度サービスサーバ
３４  ＩＰ網
４１  ユーザＹの端末
４２  ユーザＡの端末
【図１】
2010199786.tif 000003
【図２】
2010199786.tif 000004
【図３】
2010199786.tif 000005
【図４】
2010199786.tif 000006
【図５】
2010199786.tif 000007